【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
基準周波数信号を使用した通信受信機と共に使用する基準周波数補正システムであって、
前記基準周波数信号の周波数誤差と、前記基準周波数信号の一つまたは複数の周波数特性と、将来の時点の前記基準周波数信号における前記周波数誤差の推定値を特定するように構成された周波数誤差ブロックと、
前記基準周波数信号における前記周波数誤差の前記推定値を補償するために前記基準周波数信号の動作周波数を調整するように構成された周波数および時間制御ブロックを備え、
前記周波数誤差ブロックが、前記通信受信機により受信された通信信号の信号品質を特定し、前記特定した周波数特性を改善するために前記信号品質の情報を利用するように構成されるシステム。
【請求項２】
前記基準周波数信号の前記周波数誤差が、前記基準周波数信号を生成する基準周波数発振器が動作する測定された周囲温度に基づいて周波数誤差を推定することにより取得される、請求項１のシステム。
【請求項３】
前記基準周波数信号の前記周波数誤差が、受信された通信信号と前記基準周波数信号との差分を特定する位相ロックループを利用して取得される、請求項１のシステム。
【請求項４】
前記基準周波数信号の前記周波数誤差が、受信された通信信号と前記基準周波数信号との差分を特定する自動周波数制御回路を利用して取得される、請求項１のシステム。
【請求項５】
前記周波数特性が、周波数誤差、前記周波数誤差の変化率および周波数ジャークのうちの少なくとも一つを備える、請求項１から４のいずれか一項のシステム。
【請求項６】
前記基準周波数信号が、前記通信受信機に専用の基準周波数発生器を利用して取得される、請求項１から５のいずれか一項のシステム。
【請求項７】
前記基準周波数信号が、前記通信受信機と第２の通信受信機により共有される基準周波数発生器を利用して取得される、請求項１から５のいずれか一項のシステム。
【請求項８】
前記周波数誤差ブロックが、定期的な間隔で周波数誤差を特定するように構成される、請求項１から７のいずれか一項のシステム。
【請求項９】
前記基準周波数信号の周波数誤差を特定するように構成された前記周波数誤差ブロックが、前記周波数誤差ブロックの外部のソースから周波数誤差の情報を受信するように構成される、請求項１から８のいずれか一項のシステム。
【請求項１０】
前記基準周波数信号の周波数誤差を特定するように構成された前記周波数誤差ブロックが、少なくとも部分的に、前記基準周波数信号の前記周波数誤差を計算するように構成される、請求項１から９のいずれか一項のシステム。
【請求項１１】
前記基準周波数信号の周波数誤差を特定するように構成された前記周波数誤差ブロックが、特定した周波数の推定値と以前の周波数の推定値とを比較し、前記特定した周波数の推定値と前記以前の周波数の推定値との差分を特定するように構成される、請求項１から１０のいずれか一項のシステム。
【請求項１２】
前記周波数誤差ブロックが、適応フィルタとして実現される、請求項１から１１のいずれか一項のシステム。
【請求項１３】
前記周波数誤差ブロックが、カルマンフィルタとして実現される、請求項１から１１のいずれか一項のシステム。
【請求項１４】
前記周波数誤差ブロックが、さらに入力信号から広帯域雑音をフィルタリングするように構成される、請求項１から１３のいずれか一項のシステム。
【請求項１５】
前記時間および周波数ブロックが、プロセッサを使用して実現される、請求項１から１４のいずれか一項のシステム。
【請求項１６】
前記プロセッサが、ディジタル信号プロセッサを使用して実現される、請求項１５のシステム。
【請求項１７】
支援された位置特定通信装置（ＡＬＣＤ）であって、
ａ．基準周波数信号を提供する基準周波数発振器と、
ｂ．一つまたは複数の通信装置との無線周波数通信を提供する通信部と、
ｃ．一つまたは複数の受信された無線周波数信号に基づいて、前記ＡＬＣＤの位置の情報を特定するように構成された位置特定部と、
ｄ．前記位置特定部により受信された前記一つまたは複数の無線周波数信号を用いて、前記基準周波数信号を補正するように構成された請求項１から１６のいずれか一項に対応する基準周波数補正システムを備えるＡＬＣＤ。
【請求項１８】
前記通信部が、無線通信装置を備える、請求項１７のＡＬＣＤ。
【請求項１９】
前記無線通信装置が、セルラー電話である、請求項１８のＡＬＣＤ。
【請求項２０】
前記位置特定部が、ＧＰＳ受信機を備える、請求項１７から１９のいずれか一項のＡＬＣＤ。
【請求項２１】
前記基準周波数信号が、前記位置特定部に専用の基準周波数発生器を利用して取得される、請求項１７から２０のいずれか一項のＡＬＣＤ。
【請求項２２】
前記基準周波数信号が、前記ＡＬＣＤの前記位置特定部と前記通信部のうちの少なくとも一つにより利用される基準周波数発生器を利用して取得される、請求項１７から２０のいずれか一項のＡＬＣＤ。
【請求項２３】
前記基準周波数信号の周波数誤差を特定するように構成された前記周波数誤差ブロックが、前記ＡＬＣＤの前記通信部から周波数誤差の情報を受信するように構成される、請求項１７から２２のいずれか一項のＡＬＣＤ。
【請求項２４】
前記受信される周波数誤差の情報は、ハードウェア信号およびソフトウェアワードのうちの少なくとも一つである、請求項２３のＡＬＣＤ。
【請求項２５】
請求項１５のプロセッサを備えており、
そのプロセッサが前記通信部および前記位置特定部のうちの少なくとも一つにより利用される、請求項１７から２４のいずれか一項のＡＬＣＤ。
【請求項２６】
基準周波数信号を使用する受信機において無線信号を受信する方法であって、
前記基準周波数信号の周波数誤差を特定する工程と、
前記基準周波数信号の一つまたは複数の周波数特性を特定する工程と、
将来の時点の基準周波数信号における前記周波数誤差の推定値を特定する工程と、
前記基準周波数信号における前記周波数誤差の前記推定値を補償するために前記基準周波数信号の動作周波数を調整する工程と、
前記受信機により受信される通信信号の信号品質を特定する工程と、
前記特定した周波数特性を改善するために前記信号品質の情報を利用する工程、
を備える方法。
【請求項２７】
前記基準周波数信号の周波数誤差を特定する前記工程が、前記基準周波数信号を生成する基準周波数発振器が動作する測定された周囲温度に基づいて周波数誤差を推定する工程を備える、請求項２６の方法。
【請求項２８】
前記基準周波数信号の周波数誤差を特定する前記工程が、受信された通信信号と前記基準周波数信号との差分を特定する位相ロックループを利用する工程を備える、請求項２６の方法。
【請求項２９】
前記基準周波数信号の周波数誤差を特定する前記工程が、受信された通信信号と前記基準周波数信号との差分を特定する自動周波数制御回路を利用する工程を備える、請求項２６の方法。
【請求項３０】
前記周波数特性が、周波数誤差、前記周波数誤差の変化率および周波数ジャークのうちの少なくとも一つを備える、請求項２６から２９のいずれか一項の方法。
【請求項３１】
前記通信受信機に専用の基準周波数発生器を利用して前記基準周波数信号を生成する工程をさらに備える、請求項２６から３０のいずれか一項の方法。
【請求項３２】
前記通信受信機と第２の通信受信機により共有される基準周波数発生器を利用して前記基準周波数信号を生成する工程をさらに備える、請求項２６から３０のいずれか一項の方法。
【請求項３３】
前記周波数誤差を特定する前記工程が、さらに定期的な間隔で前記周波数誤差を特定する工程を備える、請求項２６から３２のいずれか一項の方法。
【請求項３４】
前記周波数誤差を特定する前記工程が、さらに前記周波数誤差ブロックの外部のソースから周波数誤差の情報を受信する工程を備える、請求項２６から３３のいずれか一項の方法。
【請求項３５】
前記周波数誤差を特定する前記工程が、さらに、少なくとも部分的に、前記基準周波数信号の前記周波数誤差を計算する工程を備える、請求項２６から３４のいずれか一項の方法。
【請求項３６】
特定した周波数の推定値と以前の周波数の推定値とを比較して、前記特定した周波数の推定値と前記以前の周波数の推定値との差分を特定する工程をさらに備える、請求項２６から３５のいずれか一項の方法。
【請求項３７】
前記周波数誤差を特定するように構成された周波数誤差ブロックを、前記周波数の推定値における予想雑音に基づいてチューニングする工程をさらに備える、請求項２６から３６のいずれか一項の方法。
【請求項３８】
前記周波数誤差を特定するように構成された周波数誤差ブロックを、前記通信装置により受信された信号品質に基づいてチューニングする工程をさらに備える、請求項２６から３７のいずれか一項の方法。
【請求項３９】
経時的な位相加速度、周波数加速度、位相ジャークおよび周波数ジャークのうちの少なくとも一つを特定する工程をさらに備える、請求項２６から３８のいずれか一項の方法。
【請求項４０】
前記基準周波数信号をフィルタリングする工程をさらに備える、請求項２６から３９のいずれか一項の方法。
【請求項４１】
プロセッサにより利用される一つまたは複数のレジスタまたは他の場所に前記周波数特性を格納する工程をさらに備える、請求項２６から４０のいずれか一項の方法。
【請求項４２】
受信された信号の強度、前記ループ内の位相雑音、または前記受信信号の品質を示すために利用可能な他の特性を使用して、信号品質の測定値を特定する工程をさらに備える、請求項２６から４１のいずれか一項の方法。
【請求項４３】
前記周波数誤差を特定する際に適用されるフィルタリングのレベルを特定するために、前記信号品質の測定値を使用する工程をさらに備える、請求項４２の方法。